(57)【特許請求の範囲】
【請求項１】
記録媒体に記録されている信号を編集する編集モードが指定されずに、信号を上記記録媒体に記録する記録モードとされたときには第１の操作子及び第２の操作子が同時押しされて記録媒体に信号を記録するための第１の操作信号を発生し、上記記録媒体に記録されている信号を編集する編集モードが指定され、上記記録媒体に記録された信号を再生する再生モードとされたときには上記第２の操作子が押されて再生されている信号を他の記録媒体に記録するためのイン点，アウト点を指定する第２の操作信号を発生する入力操作装置と、
上記入力操作装置からの第１の操作信号及び第２の操作信号を受信する受信手段と、上記編集モードが指定されたか否かを判断し、当該編集モードが指定されていると判断した場合には、上記記録モードのときに当該受信手段からの第１の操作信号に基づいて上記記録媒体に信号を記録し、上記編集モードが指定されていないと判断した場合には、上記再生モードのときに当該受信手段からの第２の操作信号に基づいて再生されている信号を上記他の記録媒体に記録するためのイン点及びアウト点を設定する制御手段とを有する被制御装置と
を備えることを特徴とする遠隔操作システム。
【請求項２】
上記被制御装置は、再生されている信号を上記他の記録媒体に記録する記録制御手段を備えることを特徴とする請求項１記載の遠隔操作システム。
【請求項３】
操作子に割り付けられた操作信号に応じて信号を記録媒体に記録すると共に、当該記録媒体から信号を再生する記録再生装置において、
上記記録媒体に記録されている信号を編集する編集モードが指定されたか否かを判断し、上記編集モードが指定されていないと判断して上記記録媒体に信号を記録する記録モードとしたときには第１の操作子及び第２の操作子が同時押しされて発生した第１の操作信号に基づいて上記記録媒体に信号を記録し、上記編集モードが指定されたと判断して上記記録媒体に記録された信号を再生する再生モードとしたときには上記第２の操作子が押されて発生した第２の操作信号に基づいて上記記録媒体に記録された信号を他の記録媒体に記録する際のイン点，アウト点を設定する制御手段を備えることを特徴とする記録再生装置。
【請求項４】
記録媒体に記録されている信号を編集する編集モードが指定されずに、信号を記録媒体に記録する記録モードのときには第１の操作子及び第２の操作子が同時押しされて上記記録媒体に信号を記録するための操作信号を発生し、上記記録媒体に記録されている信号を編集する編集モードが指定され、上記記録媒体に記録された信号を再生する再生モードとされたときには上記第２の操作子が押されて上記再生されている信号を他の記録媒体に記録する際のイン点，アウト点を指定する第２の操作信号を発生することを特徴とする入力操作装置。
【発明の詳細な説明】
【０００１】
【発明の属する技術分野】
本発明は、入力操作装置と被制御装置からなる遠隔操作システム、及び操作子に割り付けられた操作信号に応じて信号を記録媒体に記録すると共に、記録媒体から再生する記録再生装置、並びに入力操作装置に関する。
【０００２】
【従来の技術】
従来、カメラ一体型ＶＴＲや，ＶＴＲデッキ等の、映像信号，音声信号を記録再生するシステムでは、編集等の機能がついた場合、追加機能に対して、入力操作装置で操作ボタンをむやみに追加し、機能アップを図っていた。
【０００３】
【発明が解決しようとする課題】
ところで、上記入力操作装置で、操作ボタンを追加するのは、コストが増えるのはもちろん、操作ボタンが多くなることで操作性が複雑になってしまっていた。
【０００４】
本発明は、上記実情に鑑みてなされたものであり、編集等の機能が追加されても、入力操作装置の操作子を増やすことなく、簡単な操作性により追加機能を実行できる遠隔操作システムの提供を目的とする。
【０００５】
また、編集等の機能が追加されても、操作子を増やすことなく、簡単な操作性により追加機能を実行できる記録再生装置の提供を目的とする。
【０００６】
また、操作子を増やすことなく、簡単な操作性により、操作対象装置及びシステムに、追加機能を実行させることのできる入力操作装置の提供を目的とする。
【０００７】
【課題を解決するための手段】
本発明は、上記課題を解決するために、記録媒体に記録されている信号を編集する編集モードが指定されずに、信号を上記記録媒体に記録する記録モードとされたときには第１の操作子及び第２の操作子が同時押しされて記録媒体に信号を記録するための第１の操作信号を発生し、上記記録媒体に記録されている信号を編集する編集モードが指定され、上記記録媒体に記録された信号を再生する再生モードとされたときには上記第２の操作子が押されて再生されている信号を他の記録媒体に記録するためのイン点，アウト点を指定する第２の操作信号を発生する入力操作装置と、上記入力操作装置からの第１の操作信号及び第２の操作信号を受信する受信手段と、上記編集モードが指定されたか否かを判断し、当該編集モードが指定されていると判断した場合には、上記記録モードのときに当該受信手段からの第１の操作信号に基づいて上記記録媒体に信号を記録し、上記編集モードが指定されていないと判断した場合には、上記再生モードのときに当該受信手段からの第２の操作信号に基づいて再生されている信号を上記他の記録媒体に記録するためのイン点及びアウト点を設定する制御手段とを有する被制御装置とを備える。
【０００８】
ここで、上記被制御装置は、再生されている信号を他の記録媒体に記録する記録制御手段を備える。
【００１０】
本発明に係る記録再生装置は、上記課題を解決するために、操作子に割り付けられた操作信号に応じて信号を記録媒体に記録すると共に、当該記録媒体から信号を再生する記録再生装置において、上記記録媒体に記録されている信号を編集する編集モードが指定されたか否かを判断し、上記編集モードが指定されていないと判断して上記記録媒体に信号を記録する記録モードとしたときには第１の操作子及び第２の操作子が同時押しされて発生した第１の操作信号に基づいて上記記録媒体に信号を記録し、上記編集モードが指定されたと判断して上記記録媒体に記録された信号を再生する再生モードとしたときには上記第２の操作子が押されて発生した第２の操作信号に基づいて上記記録媒体に記録された信号を他の記録媒体に記録する際のイン点，アウト点を設定する制御手段を備える。
【００１２】
本発明に係る入力操作装置は、上記課題を解決するために、記録媒体に記録されている信号を編集する編集モードが指定されずに、信号を記録媒体に記録する記録モードのときには第１の操作子及び第２の操作子が同時押しされて上記記録媒体に信号を記録するための操作信号を発生し、上記記録媒体に記録されている信号を編集する編集モードが指定され、上記記録媒体に記録された信号を再生する再生モードとされたときには上記第２の操作子が押されて上記再生されている信号を他の記録媒体に記録する際のイン点，アウト点を指定する第２の操作信号を発生する。
【００１４】
また、マーク操作信号の他には、再生専用の操作信号として、例えば再生側のエフェクト切換やノイズリダクションのエフェクト切換用の操作信号を発生してもよい。
【００１５】
具体的には、映像や音声を記録再生するシステムにおいて、システムが記録モードのときは、二つの操作子が押されることで、記録がスタートする、誤操作防止のための機能を保ちつつ、２台の記録再生システムを接続して編集処理を行うときにはマスター側の編集機能のダビング開始位置及び終了位置を決定するマークボタンとしての機能も備える。
【００１６】
【発明の実施の形態】
以下、本発明の実施の形態について図面を参照しながら説明する。この実施の形態は、本発明に係る遠隔操作システムを含む、図１に示すような、編集システム１であり、ディジタルビデオカメラレコーダ（以下、ＤＶＣＲと記す）３と、据え置き型ビデオテープレコーダ（以下、ＶＴＲと記す）４とを、ＩＥＥＥ１３９４ケーブル６で接続し、ダビング編集を行うことができる。ここでは、ＤＶＣＲ３で既に記録した映像信号を再生し、ＶＴＲ４にダビング編集する処理を行う。
【００１７】
ＤＶＣＲ３は、家庭用ディジタルビデオカメラの規格に基づいたＤＶ方式のビデオカメラレコーダであり、ミニＤＶカセットを記録媒体として使用している。
【００１８】
ＶＴＲ４は、ＤＶ端子を持っているディジタルビデオレコーダであり、ＤＶＣＲ３からのビデオ信号をディジタルで扱うので画質の劣化を生じさせない。
【００１９】
ＤＶＣＲ３には、モニタ装置５がＡＶケーブル７で接続されており、再生映像を映し出している。
【００２０】
ＤＶＣＲ３の操作は、本体に付いている各操作子によって行うこともできるが、ここでは入力操作装置であるリモートコントローラ２によって行うことを考える。
【００２１】
リモートコントローラ２とＤＶＣＲ３により構成される遠隔操作システムが、本発明の遠隔操作システムの具体例となる。
【００２２】
このリモートコントローラ２は、一つのモードのときに同時押しされて第１の機能を実現するための操作信号を割り付けし、他のモードのときに少なくとも一つの操作子が押されて第２の機能を実現するための操作信号を割り付けする複数の操作子を有する。
【００２３】
詳細に、リモートコントローラ２は、図２に示すように、キー操作部１０と、マイクロコンピュータ１５と、ＬＥＤのような発光部１６からなり、キー操作部１０を使ってのユーザによるキー操作に応じたコントロール信号をマイクロコンピュータ１５で生成してそのコントロール信号を赤外線信号として発光部１６から出す。キー操作部１０には、カメラ／ＶＴＲモード切換スイッチ１１と、メニューエディットオン／オフスイッチ１２と、ＲＥＣスイッチ（ＳＷ１）１３と、ＲＥＣスイッチ（ＳＷ２）１４の各操作子が設けられている。なお、カメラ／ＶＴＲモード切換スイッチ１１と、メニューエディットオン／オフスイッチ１２は、マスター側３に設けられていてもよい。少なくともリモートコントローラ２側には、ＲＥＣスイッチ（ＳＷ１）１３と、ＲＥＣスイッチ（ＳＷ２）１４が設けられている。
【００２４】
マスター側のＤＶＣＲ３は、リモートコントローラ２からの操作信号を受信手段で受信し、この受信手段からの操作信号に基づいて第１の機能又は第２の機能の実現を制御する制御手段を有する。
【００２５】
具体的には、マスター側のＤＶＣＲ３には、上記赤外線信号を受光する受光部１７と、赤外線信号からキーデータを判別するキーデータ判別部１８と、キーデータに基づいて記録／再生モードを設定するマイクロコンピュータ１９と、ビデオ信号に記録／再生モードに基づいた信号処理を行う信号処理部２０と、ＤＶテープＴMに対して信号処理が施されたビデオ信号を記録／再生する磁気ヘッド２１とが備えられている。
【００２６】
ここで、例えば、リモートコントローラ２からの操作信号に応じて、マスター側のＤＶＣＲ３にビデオ信号を通常記録するときの動作について説明する。
【００２７】
ＤＶＣＲ３に入力端子２０ａから入力されたビデオ信号は、信号処理部２０により記録処理が施され、磁気ヘッド２１を通ってＤＶテープＴMに記録される。各部の記録処理はマイクロコンピュータ１９によって制御されている。
【００２８】
今、リモートコントローラ２のキー操作部１０、又はＤＶＣＲ３に設けられたいるキー操作部で、カメラ／ＶＴＲモード切換スイッチ１１がＶＴＲ、かつメニューでエディットモードスイッチ１２がオフとされたときに、リモードコントローラ２上のＲＥＣスイッチ（ＳＷ１）１３とＲＥＣスイッチ（ＳＷ２）１４が同時に押されたとする。マイクロコンピュータ１５は上記各スイッチによるオン、オフに応じたコントロール信号を生成し、発光部１６から赤外線信号として、ＤＶＣＲ３に出力する。
【００２９】
ＤＶＣＲ３では、受光部１７により上記赤外線信号を受光し、キーデータ判別部１８でコントロール信号を判別し、マイクロコンピュータ１９で記録モードに切り換え、信号処理部２０で上記記録信号処理が施されたビデオ信号をＤＶテープＴMに記録する。
【００３０】
図３には、上記図１に示した編集システム１全体の回路構成を示す。上記図２に示したリモートコントローラ２とＤＶＣＲ３に、スレーブ側の上記ＶＴＲ４の構成を加えたものである。
【００３１】
上記ＶＴＲ４には、入力されたビデオ信号に記録処理を施す信号処理部２３と、記録モードを設定するマイクロコンピュータ２４と、ＤＶ用テープＴSにＤＶ方式でビデオ信号を記録する磁気ヘッド２５とが備えられている。
【００３２】
以下、この編集システム１のダビング編集動作を説明する。この編集システム１では、上述したように、ＤＶＣＲ３で既に記録した映像信号を再生し、ＶＴＲ４にダビング編集する。
【００３３】
このため、マスター側のＤＶＣＲ３では、磁気ヘッド２１によりＤＶテープＴMから再生したビデオ信号に信号処理部２０で再生信号処理を施し、マイクロコンピュータ１９からの制御信号と共に、ＩＥＥＥ１３９４ケーブル（図１のケーブル６）を介してスレーブ側のＶＴＲ４に送っている。
【００３４】
ＶＴＲ４では、送られた制御信号をマイクロコンピュータ２４で解読し、その制御信号に従って、送られたビデオ信号に信号処理部２３で記録信号処理を施し、磁気ヘッド２５を介してＤＶテープＴSに記録する。
【００３５】
上記ダビング編集動作をリモートコントローラ２で行うには、リモートコントローラ２、又はＤＶＣＲ３のキー操作部上のカメラ／ＶＴＲ切換スイッチ１１をＶＴＲモードにし、メニューでエディットオン／オフスイッチ１２をシンクロエディットオンにしてから、リモートコントローラ２のＲＥＣスイッチ（ＳＷ２）１４により、編集のスタート位置とストップ位置をマークして決定している。すなわち、ＲＥＣスイッチ（ＳＷ２）１４は、カメラ／ＶＴＲ切換スイッチ１１がＶＴＲモードとされ、メニューエディットオン／オフスイッチ１２がシンクロエディットオンとされたときに、編集のスタート位置とストップ位置をマークできるスイッチとして共用される。
【００３６】
リモートコントローラ２における上記二つのスイッチ、つまりＲＥＣスイッチ（ＳＷ１）１３とＲＥＣスイッチ（ＳＷ２）１４を図４に示す。これら二つのスイッチ１３及び１４を含めた各スイッチは、スイッチ操作部３２内にある。また、リモートコントローラ２にはスタート／ストップスイッチ３０や、ズーム調整スイッチ３１も配設されている。なお、この図４に示したリモートコントローラ２は、上記カメラ／ＶＴＲ切換スイッチ１１と、エディットオン／オフスイッチ１２を設けていないタイプのリモートコントローラである。
【００３７】
ＲＥＣスイッチ（ＳＷ１）１３とＲＥＣスイッチ（ＳＷ２）１４は、上述した通常記録モードのときには共に押されることにより、ビデオ信号をＤＶテープＴMに記録するためのスイッチとして使われるが、編集モードのときにはＲＥＣスイッチ（ＳＷ２）１４のみが、編集のスタート位置とストップ位置をマークするマークスイッチとして使われる。
【００３８】
この編集システム１におけるＤＶＣＲ３の動作の詳細について図５のフローチャートを基に以下に説明する。なお、ここでは、ＤＶＣＲ３のマイクロコンピュータ１９が、キーデータ判別部１８で判別されたコントロール信号を解読しながら、各部を制御していることになる。
【００３９】
ステップＳ１においてカメラ／ＶＴＲモード切換スイッチ１１がカメラモードとされたと判断すれば、マイクロコンピュータ１９はカメラによる記録モードとし、ステップＳ２に進んで上記ＲＥＣスイッチ（ＳＷ１）１３とＲＥＣスイッチ（ＳＷ２）１４が入らない状態として、カメラＲＥＣスイッチのみ受け付ける。このカメラＲＥＣスイッチはＤＶＣＲ３に設けられている。
【００４０】
ステップＳ１でＶＴＲモードを判断すればステップＳ３に進み、メニューエディットオン／オフスイッチ１２がオン又はオフかを判断する。ここでオフであると判断すれば、ステップＳ４に進み、上記ＲＥＣスイッチ（ＳＷ１）１３とＲＥＣスイッチ（ＳＷ２）１４が同時押しされたか否かを判断する。
【００４１】
ステップＳ４で上記二つのスイッチ１３及び１４が同時押しされたと判断すれば、ステップＳ５に進んで上述した通常の記録動作を行うが、同時押しされていないと判断すればステップＳ６に進んで記録動作を行わない。
【００４２】
一方、ステップＳ３でエディットオンとされたと判断すると、ステップＳ７に進んで再生モードを自動的に決定する。ステップＳ８では、リモートコントローラ２からの通信か否かを判定し、違うと判断すればステップＳ９に進んで、ＤＶＣＲ３に配設されているメニュースイッチ（コントロールダイヤル）による操作に応じて編集のスタート及びストップ位置をマークする。ここで、メユースイッチとして用いられるコントロールダイヤルは、ユーザによる回転操作とその位置での押圧操作を受付、エンターキーと同様に決定キーとして使われるが、このステップＳ９では、押圧によりマークボタンとして使われる。
【００４３】
ステップＳ８でリモートコントローラ２からの通信であると判断すると、ステップＳ１０に進んで、リモートコントローラ２のＲＥＣスイッチ（ＳＷ２）１４に編集のスタート位置とストップ位置をマークするマークスイッチとしての機能を実行させる。
【００４４】
そして、ステップＳ１１で編集（エディット）のスタート、ストップ位置設定処理を終了する。
【００４５】
この後、図４に示したスタート／ストップスイッチ３０をスタートにすると、自動的にイン点までテープが巻き戻され、ＶＴＲ４を記録モードにして、ＶＴＲ４にイン点からアウト点までの映像をダビング記録させる。
【００４６】
図６には、編集システム１でＤＶＣＲ３からＶＴＲ４にダビング編集するときのモニタ装置５上の表示を示す図である。
【００４７】
リモートコントローラ２又はＤＶＣＲ３のメニューボタンの操作で図６の（ａ）に示すメニュー画面が出される。次に、ＤＶＣＲ３に設けられている図示しないコントロールダイヤルが回され、図６の（ｂ）に示すようにＤＶエディットが選ばれ、ダイヤルが押されることで決定される。ここで、コントロールダイヤルは、上述したように、ユーザによる回転操作とその位置での押圧操作を受け付け、エンターキーと同様に決定キーとして使われる。
【００４８】
次に、リモートコントローラ２又はＤＶＣＲ３上のビデオ操作ボタンによって、録画したい部分の始めが探され、再生一時停止にされる。
【００４９】
そして、上述したように、リモートコントローラ２上のＲＥＣスイッチ（ＳＷ２）１４がマークボタンとして使われ、図６の（ｃ）に示すように、プログラムの「ここから」が設定される。
【００５０】
次に、ＤＶＣＲ３上のビデオ操作ボタンによって、録画したい部分の終わりが探され、再生一時停止にされる。
【００５１】
そして、上記ＲＥＣスイッチ（ＳＷ２）１４がマークボタンとして使われ、図６の（ｄ）に示すように、プログラムの「ここまで」が設定される。
【００５２】
すると、ＶＴＲ４側では、上記図６の（ｃ）の「ここから」から図６の（ｄ）の「ここまで」を自動的にダビングする。ダビングが終了すると、ＤＶＣＲ３及びＶＴＲ４は自動的に一時停止する。
【００５３】
このように、この編集システム１では、ＤＶＣＲ３用のリモートコントローラ２上に操作スイッチを増やすことなく、簡単な操作によりダビング編集のような追加機能を実行することができる。
【００５４】
また、本発明の実施の形態は、図７に示すような編集システムであってもよい。この編集システム４０では、ＤＶＣＲ４１で既に記録されている映像信号をＶＴＲ４２にダビングする。ＤＶＣＲ４１とＶＴＲ４２はＩＥＥＥ１３９４ケーブル４３で接続されている。モニタ装置としては、ＤＶＣＲ４１の液晶表示装置を使う。このＤＶＣＲ４１には、上記リモートコントローラ２のキー操作部１０に配設された各スイッチと同様のキーが配設されている。
【００５５】
そして、この編集システム４０において、上記ダビング編集を行うには、ＤＶＣＲ４１上に配設されたカメラ／ＶＴＲ切換スイッチをＶＴＲモードにし、メニューでエディットオン／オフスイッチをシンクロエディットオンにしてから、ＲＥＣスイッチ（ＳＷ２）により、編集のスタート位置とストップ位置をマークして決定している。すなわち、ＲＥＣスイッチ（ＳＷ２）は、カメラ／ＶＴＲ切換スイッチがＶＴＲにされ、メニューエディットオン／オフスイッチがシンクロエディットオンとされたときに、編集のスタート位置とストップ位置をマークできるスイッチとして共用される。ここで、上記図６に示した各表示は、ＤＶＣＲ４１の液晶表示装置上に表示される。
【００５６】
したがって、この編集システム４０においても、ＤＶＣＲ１上に操作スイッチを増やすことなく、簡単な操作により編集機能を実行することができる。
【００５７】
さらに本発明の実施の形態は、図８に示すような編集システム４５であってもよい。この編集システム４５では、ＶＴＲ４６に既に記録されている映像信号をＶＴＲ４７にダビングする。ＶＴＲ４６とＶＴＲ４７はＩＥＥＥ１３９４ケーブル４９で接続されている。ＶＴＲ４６にはモニタ装置４８がＡＶケーブル５０により接続されている。
【００５８】
ＶＴＲ４６には、上記リモートコントローラ２のキー操作部１０に配設された各スイッチの内、カメラ／ＶＴＲモード切換スイッチを除いた各スイッチが設けられている。
【００５９】
この編集システム４５の各部の回路構成を図９に示す。マスター側のＶＴＲ４６では、各スイッチ５２，５３及び５４からのキーデータを、キーコード判別部５５において判別し、マイクロコンピュータ５６に送る。マイクロコンピュータ５６では、上記キーコードに応じて制御信号を生成し、信号処理部５７に送る。磁気テープＴMから磁気ヘッド５８によって再生されたビデオ信号には信号処理部５７で再生信号処理が施され、モニタ装置４８に表示されると共に、スレーブ側のＶＴＲ４７に送られる。このとき、上記制御信号もＶＴＲ４７に送られる。ＶＴＲ４７では、上記再生信号に対して、信号処理部６１で再生処理を施し、マイクロコンピュータ６２で上記制御信号を解読し、制御信号に応じたビデオ信号を磁気ヘッド６３を介して磁気テープＴSに記録する。
【００６０】
そして、この編集システム４５において、上記ダビング編集を行うには、ＶＴＲ４６上に配設された、図９に示すメニューのエディットオン／オフスイッチ５２をエディットオンにしてから、ＲＥＣスイッチ（ＳＷ２）５４により、編集のスタート位置とストップ位置をマークして決定している。すなわち、ＲＥＣスイッチ（ＳＷ２）５４は、エディットオン／オフスイッチがエディットオンとされたときに、編集のスタート位置とストップ位置をマークできるスイッチとして共用される。このときのキーコードはマイクロコンピュータ５６に送られて、編集のスタート位置とストップ位置を決定するための制御信号に変換される。ここで、上記図６に示した各表示は、モニタ装置４８上に表示される。
【００６１】
このため、この編集システム４５でも、ＶＴＲ４６上に操作スイッチを増やすことなく、簡単な操作により編集機能を実行することができる。
【００６２】
したがって、上記実施の形態によれば、編集の機能アップに対し、リモートコントローラのＲＥＣボタンの二つの内の一つを共用し、本体のときにはコントロルダイヤルのようなメニューキーと共用することで、ボタンの追加と、コストアップ無しに、編集機能追加を果たし、簡単な操作性を実現した。また、今までのリモートコントローラのＲＥＣボタンの内の一つだけの表示変更のみで済んだ。
【００６３】
また、リモートコントローラを用いずに、本体の設けられているＲＥＣボタンの二つの内の一つを共用してもよい。この場合もボタンの追加と、コストアップ無しに、編集機能追加を果たし、簡単な操作性を実現した。
【００６４】
【発明の効果】
本発明に係る遠隔操作システムは、編集等の機能が追加されても、入力操作装置の操作子を増やすことなく、簡単な操作性により追加機能を実行できる。
【００６５】
また、本発明に係る記録再生装置は、編集等の機能が追加されても、操作子を増やすことなく、簡単な操作性により追加機能を実行できる。
【００６６】
また、本発明に係る入力操作装置は、操作子を増やすことなく、簡単な操作性により、操作対象装置及びシステムに、追加機能を実行させることができる。
【図面の簡単な説明】
【図１】本発明の実施の形態となる編集システムの外観斜視図である。
【図２】上記編集システムの内のリモートコントローラと、ＤＶＣＲの内部構成を示すブロック図である。
【図３】上記編集システムの各部の内部構成を示すブロック図である。
【図４】上記リモートコントローラの操作キーの具体的配置を示す図である。
【図５】上記編集システムにおけるＤＶＣＲの動作を説明するためのフローチャートである。
【図６】上記編集システムにおけるモニタ装置上の表示例を示す図である。
【図７】編集システムの他の具体例の外観斜視図である。
【図８】編集システムのさらに他の具体例の外観斜視図である。
【図９】上記図８に示した編集システムの各部の内部構成を示すブロック図である。
【符号の説明】
１  編集システム、２  リモートコントローラ、３  ディジタルビデオカメラレコーダ、４  据え置き型ビデオテープレコーダ、５  モニタ装置、６  ＩＥＥＥ１３９４ケーブル
【図１】
0004045655.tif 000002
【図２】
0004045655.tif 000003
【図３】
0004045655.tif 000004
【図４】
0004045655.tif 000005
【図５】
0004045655.tif 000006
【図６】
0004045655.tif 000007
【図７】
0004045655.tif 000008
【図８】
0004045655.tif 000009
【図９】
0004045655.tif 000010